(57)【要約】      （修正有）【課題】挨拶状等の文書と慶弔袋に収めたギフト券とを一つの封書にセットすることができるとともに、贈答の目的に応じて挨拶状の内容および慶弔袋の絵柄を自由に選択できるようにした機能性に優れるギフト用の封書を提供する。【解決手段】台紙基部に挨拶状部６および慶弔袋７を備えることを特徴とするギフト用封書１において、挨拶状部は、写真の上に挨拶文を上書き印刷した文書、写真、記録データ等から構成され、慶弔袋７には、ギフト券等贈答品の収納部７ａを備えることを特徴とする。【選択図】図２
0003103770.tif 000002
【実用新案登録請求の範囲】
【請求項１】
台紙基部に挨拶状部および慶弔袋を備える構成としたことを特徴とするギフト用封書。
【請求項２】
前記挨拶状部は、写真の上に挨拶文を上書き印刷した文書、写真、記録データ等から構成されることを特徴とする請求項１記載のギフト用封書。
【請求項３】
前記慶弔袋には、ギフト券等贈答品の収納部を備える構成としたことを特徴とする請求項１記載のギフト用封書。
【請求項４】
前記慶弔袋は、印刷した絵柄シートから折り上げるとともに、ギフト券等贈答品の収納部が形成される構成としたことを特徴とする請求項１記載のギフト用封書。
【請求項５】
前記台紙基部は、この左右一方の側端に袖片を連接して三つ折り可能とし、止着部材により止着できる構成としたことを特徴とするギフト用封書。
【考案の詳細な説明】
【技術分野】
【０００１】
この考案は、挨拶状等の文書と慶弔袋とをセットにして収納するギフト用封書に関する。詳しくは、婚礼の引き出物、中元、歳暮の贈答をする際、挨拶状、感謝状等の文書とともに贈答品を送るために使用し、あるいは、葬儀の弔問に訪れた人に会葬礼状とともに返礼品を直接手渡したりする際に使用するギフト用封書であって、挨拶状等の文書と慶弔袋に収めたギフト券とをセットにしたギフト用封書に関する。
【背景技術】
【０００２】
慶事では、わが国では婚礼の引き出物として品物を贈答する習慣がある。このような贈答品のうち、婚礼の引き出物は、披露宴会場に設けられたテーブルの各座席に予め配置され、披露宴終了後、出席者が各自持ち帰りの際直接手渡される。しかし、その婚礼の引き出物は慶祝と感謝の気持ちを表わした品物を多種組み合わせるので、袋詰めしても嵩張ることが多く、そのうえ、披露宴の出席者は礼服、着物を着用して遠路帰宅する者、あるいは年配者が見えるので、その引き出物の持ち帰りが負担になる場合が多い。
【０００３】
一方、弔事では、葬儀の際の通夜や告別式に弔問に訪れた方にお礼の気持ちとして、会葬礼状とともに返礼品を手渡す。その後も仏式では、初七日、三七日、四九日、五七日、七七日、百カ日、年忌等に返礼品を渡す節目の時がくる。神式でも十日祭りから始まり、三年祭まで続く。キリスト教でも節目ごとに返礼品を渡す慣わしがある。このように返礼の頻度が多く、煩雑で喪主に負担がかかる。
【０００４】
また、お中元あるいはお歳暮等として、品物を贈答する習慣がある。この場合、お中元やお歳暮等の贈答品は、贈り主がデパートやギフトショップ等に出向いて適当な品物を選んで購入し、デパート等と提携した宅配業者が配達することが多くなっているため、贈り主はデパート等で受取人に応じた商品を選んで配達先を指定するだけでお中元等の手配が済むような便利な時代になってきたが、これら贈答の頻度が多く煩雑で贈り主の負担は大きい。
【０００５】
以上の様に、快気祝い、出産祝い、入学祝い、新築祝い、結婚内祝い、会社の創業記念、ゴルフのコンペ、香典返し等の際に、挨拶文、会葬礼状等の文書とともに贈答の品物を渡す機会は多く、これら慶事および弔事の節目を迎える度に当事者の負荷はばかにならない。
【０００６】
一方、最近では、贈答品として現物の代わりに金券、商品券、音楽ギフト券、キャッシュカード、テレホンカード、プリペイドカード、図書カード等コンパクトで、受取人が自由に選択できるものを贈答品として贈るケースが増え便利になってきた事情がある。
【０００７】
このように贈答の機会が多いことを背景に、ギフトカードに工夫を凝らした考案が提案されている。（特許文献１）。この考案は、案内状、招待状、挨拶状、葉書、商品券、キャッシュカード、テレホンカード、プリペイドカード等のカード類の側面や縁部に模様状に金属箔を付着させたものである。
【０００８】
【特許文献１】特開２０００−２２５７９９号公報
【考案の開示】
【考案が解決しようとする課題】
【０００９】
しかしながら、従来のギフトセットには、次のような問題点やニーズがある。
【００１０】
即ち、従来の問題点の第一は、会葬礼状等の文書と返礼品が別々の袋に収納され、それらをまとめてさらに包装紙、箱あるいは封筒に詰め込み、その上から熨斗紙や熨斗リボンを貼る等の面倒な作業がある。また、失礼のないように漏れなく収納、包装することは神経を使ううえ面倒であり、喪主の負担は大きい。同様に、慶事の贈答の場合も頻度が高く、当事者の負荷は計り知れない。そこで、慶弔事の如何なる場合にも間に合い、使用できるような定型化した封書が求められる。
【００１１】
また、ギフトセットとして贈答品が嵩張らず、そして受取人が品物を自由に選択できるようにするため以下のニーズがある。即ち、現物の代わりに金券、商品券、図書券等のギフト券、キャッシュカード、テレホンカード、プリペイドカードを贈る傾向にある現状をふまえ、文書とギフト券等とを一つの封書に収納可能で、それもこぢんまりとした封書であることが求められる。即ち、遠路帰宅する者、年配者、二次会参加者等に、嵩張る引き出物の持ち帰りが負担にならないように、会葬礼状等の文書および返礼用のギフト券を一つの封書にコンパクトに収納できるものがよい。それも、服のポケットに入れることができる封書であれば尚好ましい。
【００１２】
そこで、本考案のギフト用の封書は、上記した従来のギフトセットの持つ問題点や慶弔事の如何なる場合にも使用できるというニーズに応えるために工夫されたもので、挨拶状等の文書と慶弔袋に収めたギフト券とを一つの封書にセットすることができるとともに、贈答の目的に応じて挨拶状の内容および慶弔袋の絵柄を自由に選択できるようにした機能性に優れるギフト用の封書を提供することを目的としている。
【課題を解決するための手段】
【００１３】
上記目的を達成するために、請求項１の考案は、台紙基部に挨拶状部および慶弔袋を備える構成としたことを特徴とするギフト用封書である。
【００１４】
また、請求項２の考案は、請求項１の考案の上記特徴に加えて、挨拶状部は、写真の上に挨拶文を上書き印刷した文書、写真、記録データ等から構成されることを特徴とするものである。
【００１５】
また、請求項３の考案は、請求項１の考案の上記特徴に加えて、慶弔袋には、ギフト券等贈答品の収納部を備える構成としたことを特徴とするものである。
【００１６】
また、請求項４の考案は、請求項１の考案の上記特徴に加えて、慶弔袋は、印刷した絵柄シートから折り上げるとともに、ギフト券等贈答品の収納部が形成される構成としたことを特徴とするものである。
【００１７】
また、請求項５の考案は、請求項１の考案の上記特徴に加えて、台紙基部は、この左右一方の側端に袖片を連接して三つ折り可能とし、止着部材により止着できる構成としたことを特徴とするものである。
【００１８】
ここで、本明細書でいう「ギフト用封書」とは、台紙基部を二つあるいは三つ折りにし、左右一方の側端に設けた接着テープ等止着部材により止着できる構成としたもので、台紙基部の左右端部を確実に封印できるものである。
【００１９】
また、本明細書でいう「挨拶状部」とは、基本的にはお世話になった人への挨拶状、感謝状あるいは、葬儀の弔問に訪れた人へ渡す会葬礼状等の文書からなるが、時には、写真、各種大会等に出場した際の記録、順位表等から構成される。
【００２０】
本明細書でいう「収納部」とは、大き目の金券、商品券、図書券等のギフト券や、比較的小サイズの清め塩袋やテレホンカード、プリペイドカード等を収めることのできるポケットのことをいう。
【考案の効果】
【００２１】
この考案は、慶弔事の如何なる場合にも一つの封書に挨拶文等の文書および慶弔袋にギフト券等を収納することができ、機能性に優れるギフト用封書である。そして、封書は嵩張らないので、披露宴、会葬等に出席の礼服、着物を着用して遠路帰宅する者、あるいは年配者にとって、その引き出物の持ち帰りの負担が軽減される。また、葬儀等返礼する頻度が多い喪主等当事者にとって、ギフト用封書として定型化されたものなので使い勝手がよい。
【００２２】
第二の考案は、慶弔事の目的に応じて挨拶状部に文書の他に自由に写真等を選択できる。例えば、葬儀では故人の好きな絵写真の上に挨拶文面を上書きする等のコンピュータ処理により、自由に選択して印刷できる。また、時には、各種駅伝大会等に出場した際の写真、記録、順位表等を載せることができる。
【００２３】
また、第三の考案は、必要に応じて慶弔袋に小物の清め塩やカードの他に、大き目のギフト券を備えることができ便利である。
【００２４】
第四の考案は、慶弔袋の絵柄をコンピュータ処理によって描き、これを慶弔事の目的に合わせ自由に選択することができる。また、慶弔袋に収納部を備えることにより多機能性に優れる。
【００２５】
第五の考案は、台紙基部の左右一方の側端に袖片を連接して三つ折りにし、接着テープ等止着部材により止着できる構成としたので、袋綴じの封書のように台紙基部の左右端部を確実に封印できるという効果を奏するものである。
【考案を実施するための最良の形態】
【００２６】
本考案の実施の形態を、添付図面に示した本考案の実施例に基づいて以下に具体的に説明する。
【実施例１】
【００２７】
先ず、本考案の第一実施例について、図１を参照しながら説明する。図１はギフト用封書を示す斜視図である。
【００２８】
図に示すように、ギフト用封書１を構成する台紙基部は、上下方向より左右幅方向が長い矩形状である。そして、この台紙基部の幅方向の一方の端寄りに平行折り目Ｂが、これと平行に台紙基部のほぼ真ん中寄りに平行折り目Ａが設けられ、これらの平行折り目を介して台紙基部は、台紙２ａと台紙２ｂおよび袖片３の三つに区分される。
【００２９】
台紙２ａの内面にはコーナー５が四箇所設けられ、これらに慶弔事の挨拶状部６の四隅を嵌め込む。一方、台紙２ｂの内面に慶弔袋７を糊付けする。慶弔袋７の上部の袋口７ｃは開口しており、ここからギフト券８を収納する。ここで、台紙基部の挨拶状部６を止め、そして、慶弔袋７を糊付けする側をギフト用封書の内面とよび、その反対側を表面とよぶ。
【００３０】
以上のように構成され、次に作用について説明する。
【００３１】
台紙２ａにはコーナー５が設けられているので、慶弔事の目的に応じて挨拶状部６の文面を自由に選択してコーナー５に嵌め込むことができる。また、台紙２ｂには慶弔袋７を糊付けできるので、慶弔事の目的に応じて絵柄様式を自由に選択できる。そして、慶弔袋７にはポッケト７ａを設けているのでギフト券８を収納できる。
【００３２】
慶弔事の目的に応じて挨拶状部の文面と慶弔袋の様式およびギフト券が決まったら、平行折り目Ａに沿って挨拶状部と慶弔袋とが面を合わさる様に二つ折りにし、次いで、平行折り目Ｂに沿って袖片３によって台紙２ｂを包むように閉じる。最後に止着部材４を台紙２ｂの表面に貼着することによりギフト用封書が完成する。
【実施例２】
【００３３】
次に、本考案の第二実施例について、図２〜図４を参照しながら説明する。図２はギフト用封書を示す斜視図である。図３は慶弔袋の展開図であり、図４は慶弔袋を折り上げる途中の斜視図である。
【００３４】
本実施例の第一実施例との主たる相違点は、目的に応じて絵柄シートを選択し、慶弔袋として折り上げるもので、折り上げ方を工夫して二箇所の収納部を慶弔袋に設けるところにある。
【００３５】
図２に示すように、ギフト用封書１を構成する台紙基部は、上下方向より左右幅方向が長い矩形状である。そして、この台紙基部の幅方向の一方の端寄りに平行折り目Ｂが、これと平行に台紙基部のほぼ真ん中寄りに平行折り目Ａが設けられ、これらの平行折り目を介して一枚の台紙基部は、台紙２ａと台紙２ｂおよび袖片３の三つに区分されることは第一実施例と同様である。
【００３６】
台紙２ａの内面にはコーナー５が設けられ、これらに慶弔事の挨拶状部６を嵌め込む。一方、台紙２ｂの内面に折り上げた慶弔袋７を糊付けする。慶弔袋７の上部に袋口７ｃと上下方向のほぼ真中より下方寄りに袋口７ｄがそれぞれ開口している。上部の袋口７ｃから収納部７ａにギフト券８を収納し、一方、袋口７ｄから収納部７ｂに清め塩（不図示）を収納して、ギフト用封書として完成する。なお、慶弔袋７は二箇所の収納部を設けること等折り上げの工夫については後述する。
【００３７】
次に、図３および図４を参照しながら、慶弔袋の折り上げ方について説明する。図３は慶弔袋の展開図である。ここで、慶弔袋の模様を施した側を表面、この反対側を裏面とよぶ。慶弔袋を展開した絵柄シート１０は左右幅方向より上下方向が長い矩形状であり、絵柄シート１０を縦方向に分割するように平行折り目Ｃとこれに平行な平行折り目Ｄが上下方向に設けられている。そして、絵柄シート１０の上下方向の下方寄りの位置に、前記の平行折り目Ｃおよび平行折り目Ｄに直交するように、折り目Ｇとこの両側に切り目Ｅおよび切り目Ｆを設ける。これらの切り目Ｅおよび切り目Ｆは絵柄シート１０を一部切断した箇所である。
【００３８】
以上の折り目および切れ目によって、絵柄シート１０は六つに区分される。即ち、絵柄シート１０の表面は、上部は真ん中の後面１２の両側に前面１１ａと前面１１ｂが連接し、絵柄シート１０の下部は、前面１３の両側にフラップ１４ａとフラップ１４ｂが連接する構成をなしている。
【００３９】
次に、図４を参照しながら慶弔袋の折り上げ方について説明する。先ず、絵柄シート１０の折り目Ｇに沿って下部の前面１３、フラップ１４ａおよびフラップ１４ｂを一体として裏面側へ折り曲げると、前面１３を下側にして後面１２が屏風のように立ち上がる。そして、後面１２の両側の前面１１ａ、前面１１ｂを平行折り目Ｃおよび平行折り目Ｄに沿って裏面側へ折り曲げる。折り上げ途中の状態を図４に示している。ついで、前面１１ａ、前面１１ｂの裏面が後面１２の裏面に接するまで更に折り曲げる。更に、前面１３の裏面が前面１１ａ、前面１１ｂの表面に接するまで折り曲げ、最後に、フラップ１４ａおよびフラップ１４ｂを平行折り目Ｃおよび平行折り目Ｄに沿ってこれらの裏面が後面１２の表面に接するまで更に折り曲げる。これで慶弔袋として折り上げが完了し、この時、慶弔袋の水引模様の結び目が中央に現れるように折り上げる。
【００４０】
このようにして折り上げた慶弔袋７の後面１２の表面の上方寄りとフラップ１４ａ、フラップ１４ｂの表面に糊付けして台紙２ｂに貼着する。ここで、前面１１ａ、前面１１ｂおよび前面１３の絵柄が表向きになるように貼着する。そして、前面１３と前面１１ａおよび前面１１ｂとで挟まれる隙間が収納部７ｂとして形成され、前面１１ａおよび前面１１ｂと後面１２とで挟まれる隙間が収納部７ａとして形成される。即ち、収納部７ａは慶弔袋７の上部位から下部位に、収納部７ｂが慶弔袋７の下部位に形成される。
【００４１】
以上のように構成され、次に作用について説明する。
【００４２】
台紙２ａにはコーナー５設けられているので、慶弔事の目的に応じて挨拶状部６の文面を自由に選択してコーナー５に嵌め込むことができる。また、台紙２ｂには慶弔袋７を糊付けできるので、挨拶状と同様、慶弔事の目的に応じて絵柄様式を自由に選択できる。そして、慶弔袋７は袋口７ｃが開口しているのでギフト券８を収納部７ａに収納できるのは実施例一と同様である。
【００４３】
上部の袋口７ｃから収納部７ａにギフト券８を収納できるとともに、本実施例では袋口７ｄから清め塩（不図示）を収納部７ｂへ収納できる。また、慶弔事の目的に応じて挨拶状部の文面と慶弔袋の様式およびギフト券を選択した後、平行折り目Ａに沿って挨拶状部と慶弔袋とが面を合わさる様に台紙基部の内面側へ二つ折りにする。次いで、平行折り目Ｂに沿って袖片３によって台紙２ｂを包むように閉じる。最後に止着部材４を台紙２ｂの表面に貼着してギフト用封書が完成する。
【００４４】
挨拶状部には、写真の上に文面を上書きしたものを印刷し使用する。贈答者の希望に沿ってコンピュータ処理した挨拶文を採用できる。例えば、葬儀の際は、故人が好きだった絵とか、好きな場所を写した写真の上に、挨拶文を目的に応じて上書きする。同様に、慶弔袋の絵柄をコンピュータ処理によって描き、慶弔事の目的に合わせ自由に選択することができる。また、封書に二箇所の収納部を備えるので、ギフト券のサイズの大小に合わせ多目的のギフト券を選択、収めることができる。
【産業上の利用可能性】
【００４５】
各実施例では、一枚の台紙基部を三つ折りにして袖片３を設ける場合について説明したが、台紙基部を二つ折りにして袖片３を無くし、一方の台紙基部の端部に止着部材を設けて二つ折りの封書を閉じる使い方でもよい。また、各実施例では、一枚の台紙基部を三つ折りにしてギフト用封書を形成する場合について説明したが、二枚の独立した台紙基部の一辺に糊代片を設けて二枚の台紙基部を糊付けすることによりギフト用の封書を構成することは十分可能である。
【００４６】
収納部７ｂは小さいので、清め塩のように小物を入れることができ便利である。その他、例えば、慶弔事の目的に応じてテレホンカード、プリペイドカード、友の会カード等小サイズのカードを収納するのに好適である。
【００４７】
なお、本考案のギフト用封書の使途は、会葬御礼としてその場で直接手渡してもよく、宅配便あるいは郵送にしても勿論よい。
【図面の簡単な説明】
【００４８】
【図１】本考案の第一実施例のギフト用封書を示す斜視図である。
【図２】本考案の第二実施例のギフト用封書を示す斜視図である。
【図３】同上、慶弔袋の展開図である。
【図４】同上、慶弔袋を折り上げる途中の斜視図である。
【符号の説明】
【００４９】
１  ギフト用封書
２ａ  台紙
２ｂ  台紙
３  袖片
４  止着部材
５  コーナー
６  挨拶状部
７  慶弔袋
７ａ  収納部
７ｂ  収納部
７ｃ  袋口
７ｄ  袋口
８  ギフト券
１０  絵柄シート
１１ａ  前面
１１ｂ  前面
１２  後面
１３  前面
１４ａ  フラップ
１４ｂ  フラップ
Ａ  平行折り目
Ｂ  平行折り目
Ｃ  平行折り目
Ｄ  平行折り目
Ｅ  切れ目
Ｆ  切れ目
Ｇ  折り目
【図１】
0003103770.tif 000003
【図２】
0003103770.tif 000004
【図３】
0003103770.tif 000005
【図４】
0003103770.tif 000006
【手続補正書】
【提出日】平成16年4月12日(2004.4.12)
【手続補正１】
【補正対象書類名】実用新案登録請求の範囲
【補正対象項目名】全文
【補正方法】変更
【補正の内容】
【実用新案登録請求の範囲】
【請求項１】
台紙基部に挨拶状部および慶弔袋を備える構成としたことを特徴とするギフト用封書。
【請求項２】
前記挨拶状部は、写真の上に挨拶文を上書き印刷した文書、写真、記録データ等から構成されることを特徴とする請求項１記載のギフト用封書。
【請求項３】
前記慶弔袋には、ギフト券等贈答品の収納部を備える構成としたことを特徴とする請求項１記載のギフト用封書。
【請求項４】
前記慶弔袋は、印刷した絵柄シートから折り上げるとともに、ギフト券等贈答品の収納部が形成される構成としたことを特徴とする請求項１記載のギフト用封書。
【請求項５】
前記台紙基部は、この左右一方の側端に袖片を連接して三つ折り可能とし、止着部材により止着できる構成としたことを特徴とする請求項１記載のギフト用封書。